【手続補正書】
【提出日】平成18年6月1日(2006.6.1)
【手続補正１】
【補正対象書類名】明細書
【補正対象項目名】特許請求の範囲
【補正方法】変更
【補正の内容】
【特許請求の範囲】
【請求項１】  光源手段と、該光源手段から出射した発散光束を他の状態に変換する第１の光学系と、回転多面鏡と、該第１の光学系により変換された光束を副走査断面内において該回転多面鏡の偏向面に結像させる第２の光学系と、該回転多面鏡の偏向面で偏向した光束を被走査面上に結像させる第３の光学系とを有する光走査装置において、
前記光源手段から出射した光束は、副走査断面内において、前記回転多面鏡の偏向面に対し有限の角度を有して入射しており、
α：該偏向面の法線と該偏向面に入射してくる光束が成す副走査断面内における角度
φ：前記回転多面鏡にて偏向された光束が該被走査面上の走査中心を走査しているときの該回転多面鏡の偏向面と該偏向面に入射してくる光束が成す主走査断面内における角度
Ｐ：前記被走査面における副走査方向の理想的な走査線ピッチ
βs：該第３の光学系における副走査断面内の横倍率
Δ：該回転多面鏡の回転軸から該回転多面鏡の各偏向面までの距離の最大相対差
γ：該回転多面鏡の最大面倒れ角
Ｒ：該回転多面鏡の外接円半径
Ｎ：該回転多面鏡の面数
θm：該回転多面鏡の最大偏向角
Ｄ：該回転多面鏡の偏向面と該被走査面が副走査断面内において共役関係にある場合の共役点からの位置のずれ量
とするとき、
【数１】
2004361627.tif 000001
を満足することを特徴とする光走査装置。
【請求項２】  以下の条件式を、
０．５＜βs＜１．５
満足することを特徴とする請求項１記載の光走査装置。
【請求項３】  前記回転多面鏡は４面ポリゴンミラーであることを特徴とする請求項１又は２記載の光走査装置。
【請求項４】  前記光源手段は複数の発光部を有していることを特徴とする請求項１、２又は３記載の光走査装置。
【請求項５】  請求項１乃至４の何れか１項に記載の光走査装置を複数有し、該複数の光走査装置の光源手段から出射した複数の光束を共通の回転多面鏡を介して、該複数の光束で異なる被走査面上を各々走査し、画像を形成することを特徴とする画像形成装置。
【請求項６】  請求項１乃至４の何れか１項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項７】  請求項１乃至４の何れか１項に記載の光走査装置と、外部機器から入力したコードデータを画像信号に変換して前記光走査装置に入力せしめるプリンタコントローラとを有していることを特徴とする画像形成装置。
【請求項８】  各々が請求項１乃至４の何れか１項に記載の光走査装置の被走査面に配置され、互いに異なった色の画像を形成する複数の像担持体とを有することを特徴とするカラー画像形成装置。
【請求項９】  外部機器から入力した色信号を異なった色の画像データに変換して各々の光走査装置に入力せしめるプリンタコントローラを有していることを特徴とする請求項８記載のカラー画像形成装置。
【手続補正２】
【補正対象書類名】明細書
【補正対象項目名】００１５
【補正方法】変更
【補正の内容】
【００１５】
【課題を解決するための手段】
請求項１の発明の光走査装置は、光源手段と、該光源手段から出射した発散光束を他の状態に変換する第１の光学系と、回転多面鏡と、該第１の光学系により変換された光束を副走査断面内において該回転多面鏡の偏向面に結像させる第２の光学系と、該回転多面鏡の偏向面で偏向した光束を被走査面上に結像させる第３の光学系とを有する光走査装置において、
前記光源手段から出射した光束は、副走査断面内において、前記回転多面鏡の偏向面に対し有限の角度を有して入射しており、
α：該偏向面の法線と該偏向面に入射してくる光束が成す副走査断面内における角度
φ：前記回転多面鏡にて偏向された光束が該被走査面上の走査中心を走査しているときの該回転多面鏡の偏向面と該偏向面に入射してくる光束が成す主走査断面内における角度
Ｐ：前記被走査面における副走査方向の理想的な走査線ピッチ
βs：該第３の光学系における副走査断面内の横倍率
Δ：該回転多面鏡の回転軸から該回転多面鏡の各偏向面までの距離の最大相対差
γ：該回転多面鏡の最大面倒れ角
Ｒ：該回転多面鏡の外接円半径
Ｎ：該回転多面鏡の面数
θm：該回転多面鏡の最大偏向角
Ｄ：該回転多面鏡の偏向面と該被走査面が副走査断面内において共役関係にある場合の共役点からの位置のずれ量
とするとき、
【数２】
2004361627.tif 000002
を満足することを特徴としている。
【手続補正３】
【補正対象書類名】明細書
【補正対象項目名】００１６
【補正方法】変更
【補正の内容】
【００１６】
請求項２の発明は請求項１の発明において、以下の条件式を、
０．５＜βs＜１．５
満足することを特徴としている。
【手続補正４】
【補正対象書類名】明細書
【補正対象項目名】００１７
【補正方法】変更
【補正の内容】
【００１７】
請求項３の発明は請求項１又は２の発明において、前記回転多面鏡は４面ポリゴンミラーであることを特徴としている。
【手続補正５】
【補正対象書類名】明細書
【補正対象項目名】００１８
【補正方法】変更
【補正の内容】
【００１８】
請求項４の発明は請求項１、２又は３の発明において、前記光源手段は複数の発光部を有していることを特徴としている。
【手続補正６】
【補正対象書類名】明細書
【補正対象項目名】００１９
【補正方法】変更
【補正の内容】
【００１９】
請求項５の発明の画像形成装置は、請求項１乃至４の何れか１項に記載の光走査装置を複数有し、該複数の光走査装置の光源手段から出射した複数の光束を共通の回転多面鏡を介して、該複数の光束で異なる被走査面上を各々走査し、画像を形成することを特徴としている。
【手続補正７】
【補正対象書類名】明細書
【補正対象項目名】００２０
【補正方法】変更
【補正の内容】
【００２０】
請求項６の発明の画像形成装置は、請求項１乃至４の何れか１項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴としている。
【手続補正８】
【補正対象書類名】明細書
【補正対象項目名】００２１
【補正方法】変更
【補正の内容】
【００２１】
請求項７の発明の画像形成装置は、請求項１乃至４の何れか１項に記載の光走査装置と、外部機器から入力したコードデータを画像信号に変換して前記光走査装置に入力せしめるプリンタコントローラとを有していることを特徴としている。
【手続補正９】
【補正対象書類名】明細書
【補正対象項目名】００２２
【補正方法】変更
【補正の内容】
【００２２】
請求項８の発明のカラー画像形成装置は、各々が請求項１乃至４の何れか１項に記載の光走査装置の被走査面に配置され、互いに異なった色の画像を形成する複数の像担持体とを有することを特徴としている。
【手続補正１０】
【補正対象書類名】明細書
【補正対象項目名】００２３
【補正方法】変更
【補正の内容】
【００２３】
請求項９の発明は請求項８の発明において、外部機器から入力した色信号を異なった色の画像データに変換して各々の光走査装置に入力せしめるプリンタコントローラを有していることを特徴としている。
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】